(57)【要約】  【課題】商品選択ボタン、金額表示器を利用して、消費者の注意を引かせることができる自動販売機を提供する。  【解決手段】各商品に対応し、ランプ表示する商品選択ボタン５と、投入された貨幣の金額等をランプ表示する金額表示器１１が設けられており、演算制御部３０ａは販売機待機時に商品選択ボタン５を任意のパターンで表示することでイルミネーション表示を行い、イルミネーション表示に連動して金額表示器１１を任意のパターンで文字、記号等を表示することにより、消費者の注意を引くことができる。【選択図】図４
2007188203.tif 000002
【特許請求の範囲】
【請求項１】
各サンプル商品に対応し、ランプ表示する商品選択ボタンと、投入された貨幣の金額をランプ表示する金額表示器とを有する自動販売機において、販売待機時に前記商品選択ボタンを任意のパターンで点灯・消灯することでイルミネーション表示を行い、前記イルミネーション表示に連動して前記金額表示器に任意のパターンで文字、記号等を表示することを特徴とする自動販売機。
【請求項２】
音を発生させる音発生手段を備え、商品選択ボタンと金額表示器の任意の表示パターンに連動して、前記音発生手段により音を発生することを特徴とする請求項１に記載の自動販売機。
【請求項３】
音発生手段により音を発生させる時間帯を設定する音発生時間帯設定手段を備えることを特徴とする請求項２に記載の自動販売機。
【請求項４】
商品選択ボタンと金額表示器の表示パターン動作を選択するパターン設定手段を備えることを特徴とする請求項１から３のいずれか一項に記載の自動販売機。
【請求項５】
商品選択ボタンと金額表示器による表示と、音発生手段による発音を任意のパターン動作で動作させる時間帯を設定するパターン動作時間帯設定手段を備えることを特徴とする請求項１から４のいずれか一項に記載の自動販売機。
【発明の詳細な説明】
【技術分野】
【０００１】
本発明は、商品選択ボタン、金額表示器を利用して、消費者の注意を引かせることができる自動販売機に関するものである。
【背景技術】
【０００２】
一般に自動販売機の外扉の前面には、内部に充填された各種商品を選択する商品選択ボタンを有している。この商品選択ボタンに内蔵されたランプにより、販売可能状態となっているのか、売切れ状態となっているかを明示しており、夜間においても商品の購入操作が容易になるようにしている。また、同じく外扉の前面には金額表示器を有しており、この金額表示器により、投入貨幣の金額や釣り銭の金額を表示している。
【０００３】
しかしながら、前記従来の自動販売機では、前述の如く商品選択ボタンはボタン位置を顕在化させ、販売可能状態であるのか売切れ状態であるのかを表示するものに過ぎず、また、金額表示器も金額を表示するものに過ぎない。よって、商品選択ボタンや金額表示器により消費者の注意を十分に引くことができないという課題があった。
【０００４】
この課題を解決した自動販売機が特許文献１などに記載されている。そして、特許文献１の自動販売機では、商品選択ボタンに内蔵された販売可能ランプ、売切れランプあるいは金額表示器を順次点灯等することにより、購買意欲を喚起させる自動販売機が提案されている。
【特許文献１】特開平１０−１４９４８２号公報
【発明の開示】
【発明が解決しようとする課題】
【０００５】
しかしながら、特許文献１などの自動販売機では、販売待機時に商品選択ボタンの販売可能ランプまたは売切れランプを任意のパターンで点灯・消灯したり、金額表示器を任意のパターンで文字、記号等を表示するものであり、商品選択ボタンと金額表示器は独立した表示をしており、消費者にとっては統一感のないランプ表示をしているだけで、面白みがないという感を受け、消費者の注意を引かせるには、十分なものでなかった。
【０００６】
そこで、本発明は、従来の構成で、商品選択ボタン、金額表示器を利用して、消費者の注意を更に引かせることができる自動販売機を提供する。
【課題を解決するための手段】
【０００７】
前記従来の課題を解決するために、本発明の自動販売機は、販売待機時に商品選択ボタンを任意のパターンで点灯・消灯することでイルミネーション表示を行い、このイルミネーション表示に連動して金額表示器を任意のパターンで文字、記号等を表示するものである。
【発明の効果】
【０００８】
本発明の自動販売機は、商品選択ボタン、金額表示器による表示を連動させ、統一感のある表示を行うことにより、より一層消費者の注意を引くことができる。
【発明を実施するための最良の形態】
【０００９】
請求項１に記載の発明は、各サンプル商品に対応し、ランプ表示する商品選択ボタンと、投入された貨幣の金額をランプ表示する金額表示器とを有する自動販売機において、販売待機時に前記商品選択ボタンを任意のパターンで点灯・消灯することでイルミネーション表示を行い、前記イルミネーション表示に連動して前記金額表示器に任意のパターンで文字、記号等を表示することにより、消費者の注意を引くことができる。
【００１０】
請求項２に記載の発明は、特に第１の発明に、音を発生させる音発生手段を備え、商品選択ボタンと金額表示器の任意の表示パターンに連動して、前記音発生手段により音を発生することにより、視覚的にも聴覚的にも消費者の注意を引くことができる。
【００１１】
請求項３に記載の発明は、特に第２の発明に、音発生手段により音を発生させる時間帯を設定する音発生時間帯設定手段を備え、消費者の注意を引きたいが、夜中などの音を発生させ周囲に迷惑をかけたくない時間帯を設定することができる。
【００１２】
請求項４に記載の発明は、特に第１から第３のいずれか一つの発明に、商品選択ボタンと金額表示器の表示パターン動作を選択するパターン設定手段を備え、オペレータの好み、ロケーションに応じたパターンを選択することができる。
【００１３】
請求項５に記載の発明は、特に第１から第４のいずれか一つの発明に、商品選択ボタンと金額表示器による表示と、音発生手段による発音を任意のパターン動作で動作させる時間帯を設定するパターン動作時間帯設定手段を備え、消費者がいない時間帯での無駄なパターン動作をさせないことで、省エネを図ることができる。
【００１４】
（実施の形態１）
図１は、本発明の実施の形態１による自動販売機の外観を示した斜視図である。図２は、同実施の形態の自動販売機の金額表示器の外観を示した正面図である。図３は、同実施の形態の自動販売機の商品選択ボタンと金額表示器の表示パターン状態を示す図である。図４は、同実施の形態の自動販売機の機能ブロック図である。図５は、同実施の形態の自動販売機の動作を示すフローチャートである。図１において本発明の実施の形態の自動販売機１は、本体部２前面にメイン扉部３を有している。メイン扉部３にサンプル缶４、商品選択ボタン５、硬貨投入口６、硬貨返却スイッチ７、硬貨返却口８、取り出し部９、取り出し口扉１０、金額表示器１１を持つ。
【００１５】
図２において金額表示器１１は消費者が投入した金額または販売待機中に表示する文字を、７つのＬＥＤで点灯・消灯させることにより文字等を表示させる７セグメントＬＥＤ１２にて表示を行う。
【００１６】
販売動作は消費者がサンプル缶４を見て、購入したい商品を決定し、硬貨投入口６に硬貨を投入し、サンプル缶４の下に設けられた商品選択ボタン５にて商品を選択するなどの所定の操作を行うことで、商品選択ボタン５に対応した商品が取り出し部９に払い出される。消費者は取り出し口扉１０を開け、商品を取り出すことができる。
【００１７】
図３において、ａ１からａ８は一列８個の３列分設けられた商品選択ボタン５による点灯・消灯パターンであり、斜線部が点灯を表している。また、ｂ１からｂ８は金額表示器にて点灯・消灯させるパターンであり、斜線部が点灯を表している。イルミネーション動作は何も点灯させていないａ１、ｂ１の状態から商品選択ボタン５をパターンａ２の状態に点灯させ、これに連動して金額表示器１１の表示をパターンｂ２にて点灯させる。以後同様にパターンａ３，ｂ３以降を商品選択ボタン５、金額表示器１１にて表示させ、パターンａ８．ｂ８を点灯した時点で、パターンａ１，ｂ１に戻り、以後この動作を繰り返すものである。
【００１８】
図４において、パターン記憶手段１３は商品選択ボタン５による表示パターンａ１からａ８、金額表示器１１による表示パターンｂ１からｂ８を記憶している。演算制御部３０ａは販売待機中にパターン記憶手段１３にて記憶しているパターンを商品選択ボタン５、金額表示器１１を連動させながら、順次に表示させる。
【００１９】
図５において、以上のように構成された自動販売機について、以下その動作を説明する。演算制御部３０ａは商品選択ボタン５による表示パターンをａ１に、金額表示器１１による表示パターンをｂ１にプリセットする（ＳＴＥＰ１）。次に硬貨が投入されたかを判定し、硬貨投入されていれば商品選択ボタン５、金額表示器１１による表示を終了する（ＳＴＥＰ２）。硬貨投入されていなければ、商品選択ボタン５による表示パターンａ１、金額表示器１１による表示パターンｂ１にて表示させる（ＳＴＥＰ３）。次に現在表示しているパターンｎがパターン最大番号である８を超えたかを判定し、超えていればＳＴＥＰ１に戻り（ＳＴＥＰ４）、パターンａ１，ｂ１にプリセットする。現在表示しているパターンｎがパターン最大番号である８を超えていなければ、パターンｎをカウントアップし、ＳＴＥＰ２に戻る（ＳＴＥＰ５）。現在表示しているパターンｎがパターン最大番号である８を超えていれば、ＳＴＥＰ１に戻り、上記を繰り返す。
【００２０】
以上のように本実施の形態１の自動販売機によれば、販売待機中に、商品選択ボタン５及び金額表示器１１を任意のパターンで連動して表示を切り替え、統一感のある表示を行うことで、消費者の注意をより一層引くことができる。
【００２１】
また金額表示部１１は販売待機中に７セグメントＬＥＤ１２の点灯部と消灯部を切り替えてキャラクタ（図示しない）が表情を変えるように表示させてもよい。またこれと連動して商品選択ボタン５を特定の順序で点灯と消灯を繰り返し行い、金額表示部１１と商品選択ボタン５との連動動作によって販売待機状態の表示を行う。
【００２２】
また表示動作は複数のパターンが記憶されており、商品購入があった後は前回とは異なる順序で７セグメントＬＥＤ１２の点灯部と消灯部を行い、商品選択ボタン５も前回と異なる順序で点灯、消灯を繰り返し利用者へのアピールを行う。
【００２３】
金額表示部１１は最大５桁の７セグメント表示を行うので、販売待機時に、そのセグメントを活用して金額表示部１１にキャラクタを施し、商品選択ボタン５と連動させるので、自動販売機１が設置されていることをアピールするとともに購買意欲を高めることができる。
【００２４】
（実施の形態２）
図６は、本発明の実施の形態２による自動販売機の機能ブロック図である。図７は、同実施の形態の自動販売機の音発生手段の発音パターン動作状態を示す図である。図８は、同実施の形態の自動販売機の動作を示すフローチャートである。
【００２５】
図６、７において、音発生手段１４は任意の音を発生する。パターン記憶手段１３は図３に示す商品選択ボタン５による表示パターンａ１からａ８、金額表示器１１による表示パターンｂ１からｂ８、及び図３の８パターンに対応して図７のような音発生手段１４による発音パターンｃ１からｃ８を記憶している。演算制御部３０ｂは販売待機中にパターン記憶手段１３にて記憶しているパターンで商品選択ボタン５、金額表示器１１による表示、音発生手段１５に発音を連動させ、順次に動作させる。
【００２６】
図８において、以上のように構成された自動販売機について、以下その動作を説明する。演算制御部３０ｂは商品選択ボタン５による表示パターンをａ１に、金額表示器１１による表示パターンをｂ１に、音発生手段１４による発音パターンをｃ１にプリセットする（ＳＴＥＰ１）。次に硬貨が投入されたかを判定し、硬貨投入されていれば商品選択ボタン５、金額表示器１１による表示、及び音発生手段１４による発音を終了する（ＳＴＥＰ２）。硬貨投入されていなければ、商品選択ボタン５による表示パターンａ１、金額表示器１１による表示パターンｂ１にて表示、音発生手段１４による発音パターンｃ１を発音させる（ＳＴＥＰ３）。次に現在表示・発音しているパターンｎがパターン最大番号である８を超えたかを判定し、超えていればＳＴＥＰ１に戻り（ＳＴＥＰ４）、パターンａ１、ｂ１、ｃ１にプリセットする。現在表示・発音しているパターンｎがパターン最大番号である８を超えていなければ、パターンｎをカウントアップし、ＳＴＥＰ２に戻る（ＳＴＥＰ５）。
【００２７】
以上のように本実施の形態２の自動販売機によれば、販売待機中に、商品選択ボタン５、金額表示器１１を任意のパターンで連動して表示を切り替え、更に音発生手段１４による発音パターンも連動させることで、視覚的だけでなく聴覚的にも消費者の注意を引くことができる。
【００２８】
（実施の形態３）
図９は、本発明の実施の形態３による自動販売機の機能ブロック図である。図１０は、同実施の形態の自動販売機の動作を示すフローチャートである。
【００２９】
図９において、音発生時間帯設定手段１５は音発生手段１４による発音を行う時間帯を設定する。音発生時間帯記憶手段１６は音発生時間帯設定手段１５により設定された時間帯を記憶する。演算制御部３０ｃは販売待機中にパターン記憶手段１３にて記憶しているパターンで商品選択ボタン５、金額表示器１１による表示、及び音発生時間帯記憶手段１６にて記憶している時間帯であれば音発生手段１５による発音を連動させ、順次に動作させる。
【００３０】
図１０において、以上のように構成された自動販売機について、以下その動作を説明する。演算制御部３０ｃは音発生時間帯設定手段１５により音発生時間帯を８時から２１時に設定し（ＳＴＥＰ１）、音発生時間帯記憶手段１６に記憶させる（ＳＴＥＰ２）。続いて演算制御部３０ｃは商品選択ボタン５による表示パターンをａ１に、金額表示器１１による表示パターンをｂ１に、音発生手段１４による発音パターンをｃ１にプリセットする（ＳＴＥＰ３）。次に硬貨が投入されたかを判定し、硬貨投入されていれば商品選択ボタン５、金額表示器１１による表示、及び音発生手段１４による発音を終了する（ＳＴＥＰ４）。
【００３１】
硬貨投入されていなければ、現在時刻が音発生時間帯記憶手段１６により記憶している８時から２１時の間であるかを判定し（ＳＴＥＰ５）、時間帯内であれば音発生手段１４による発音パターンｃ１を発音させる（ＳＴＥＰ６）。続いて、商品選択ボタン５による表示パターンａ１、金額表示器１１による表示パターンｂ１にて表示させる（ＳＴＥＰ７）。時間帯外であれば、音発生手段１４による発音を行わず、商品選択ボタン５による表示パターンａ１、金額表示器１１による表示パターンｂ１にて表示させる（ＳＴＥＰ７）。
【００３２】
次に現在表示・発音しているパターンｎがパターン最大番号である８を超えたかを判定し、超えていればＳＴＥＰ１に戻り（ＳＴＥＰ８）、パターンａ１、ｂ１、ｃ１にプリセットする。現在表示・発音しているパターンｎがパターン最大番号である８を超えていなければ、パターンｎをカウントアップし、ＳＴＥＰ２に戻る（ＳＴＥＰ９）。
【００３３】
以上のように本実施の形態３の自動販売機によれば、音発生時間帯設定手段１５により設定した時間帯以外は音発生手段１４による発音を行わないので、夜間などに周囲に迷惑がかからないような時間帯をオペレータが自由に設定し、音発生手段１４による発音は行わないので、周囲に迷惑をかけないようにすることができる。
【００３４】
（実施の形態４）
図１１は、本発明の実施の形態４による自動販売機の機能ブロック図である。図１２は、同実施の形態の自動販売機の全連動パターンを示す図である。図１３は、同実施の形態の自動販売機の動作を示すフローチャートである。
【００３５】
図１１において、全パターン記憶手段１７は図１２のように商品選択ボタン５、金額表示器１１による表示、音発生手段１４による発音の複数のパターンを記憶している。パターン設定手段１８は全パターン記憶手段１７より実施するパターンを設定する。パターン記憶手段１３はパターン設定手段１８により設定されたパターンを記憶する。演算制御部３０ｄはパターン設定手段１８により、商品選択ボタン５、金額表示器１１による表示、音発生手段１４による発音するパターンを設定し、パターン記憶手段１３に記憶させる。
【００３６】
演算制御部３０ｄは販売待機中にパターン記憶手段１３にて記憶しているパターンで商品選択ボタン５、金額表示器１１による表示、音発生手段１５による発音を連動させ、順次に動作させる。
【００３７】
図１３において、以上のように構成された自動販売機について、以下その動作を説明する。演算制御部３０ｄはパターン設定手段１８により全パターン記憶手段１７で記憶している複数のパターンから実施するパターンを設定し（ＳＴＥＰ１）、パターン記憶手段１３に記憶させる（ＳＴＥＰ２）。
【００３８】
続いて演算制御部３０ｄはパターン記憶手段１３に記憶しているパターンで商品選択ボタン５による表示パターンをａ１に、金額表示器１１による表示パターンをｂ１に、音発生手段１４による発音パターンをｃ１にプリセットする（ＳＴＥＰ３）。次に硬貨が投入されたかを判定し、硬貨投入されていれば商品選択ボタン５、金額表示器１１による表示、及び音発生手段１４による発音を終了する（ＳＴＥＰ４）。
【００３９】
硬貨投入されていなければ、商品選択ボタン５による表示パターンａ１、金額表示器１１による表示パターンｂ１、及び音発生手段１４による発音パターンｃ１を発音させる（ＳＴＥＰ５）。
【００４０】
次に現在表示・発音しているパターンｎがパターン最大番号である８を超えたかを判定し、超えていればＳＴＥＰ３に戻り（ＳＴＥＰ６）、パターンａ１、ｂ１、ｃ１にプリセットする。現在表示・発音しているパターンｎがパターン最大番号である８を超えていなければ、パターンｎをカウントアップし、ＳＴＥＰ４に戻る（ＳＴＥＰ７）。
【００４１】
以上のように本実施の形態４の自動販売機によれば、商品選択ボタン５、金額表示器１１による表示、音発生手段により発音する任意のパターン動作をどのパターンで動作させるかを選択できることにより、オペレータの好み、ロケーションに応じたパターンを選択することができる。
【００４２】
（実施の形態５）
図１４は、本発明の実施の形態５による自動販売機の機能ブロック図である。図１５は、同実施の形態の自動販売機の動作を示すフローチャートである。
【００４３】
図１４において、パターン動作時間帯設定手段１９は商品選択ボタン５、金額表示器１１による表示、音発生手段１４による発音を行う時間帯を設定する。パターン動作時間帯記憶手段２０はパターン動作時間帯設定手段１９により設定された時間帯を記憶する。演算制御部３０ｅは販売待機中にパターン動作時間帯記憶手段２０にて記憶している時間帯であればパターン記憶手段１３にて記憶しているパターンで商品選択ボタン５、金額表示器１１による表示、及び音発生手段１５による発音を連動させ、順次に動作させる。
【００４４】
図１５において、以上のように構成された自動販売機について、以下その動作を説明する。演算制御部３０ｅはパターン動作時間帯設定手段１９によりパターン動作する時間帯を８時から２１時に設定し（ＳＴＥＰ１）、パターン動作時間帯記憶手段２０に記憶させる（ＳＴＥＰ２）。
【００４５】
続いて演算制御部３０ｅは商品選択ボタン５による表示パターンａ１に、金額表示器１１による表示パターンをｂ１に、音発生手段１４による発音パターンをｃ１にプリセットする（ＳＴＥＰ３）。次に現在時刻がパターン動作時間帯記憶手段２０により記憶している８時から２１時の間であるかを判定し、時間帯外であれば、商品選択ボタン５による表示パターンａ１、金額表示器１１による表示パターンｂ１、音発生手段１４による発音パターンｃ１を行わず終了する（ＳＴＥＰ４）。時間帯内であれば硬貨が投入されたかを判定し、硬貨投入されていれば商品選択ボタン５、金額表示器によるパターン表示、及び音発生手段１４による発音を終了する（ＳＴＥＰ５）。硬貨投入されていなければ、商品選択ボタン５による表示パターンａ１、金額表示器１１による表示パターンｂ１、及び音発生手段１４による発音パターンｃ１にて動作させる（ＳＴＥＰ６）。
【００４６】
次に現在表示・発音しているパターンｎがパターン最大番号である８を超えたかを判定し、超えていればＳＴＥＰ３に戻り（ＳＴＥＰ７）、パターンａ１、ｂ１、ｃ１にプリセットする。現在表示・発音しているパターンｎがパターン最大番号である８を超えていなければ、パターンｎをカウントアップし、ＳＴＥＰ４に戻る（ＳＴＥＰ８）。
【００４７】
以上のように本実施の形態５の自動販売機によれば、商品選択ボタン５、金額表示器１１による表示、音発生手段１５による発音を行う時間帯を設定するパターン動作時間帯設定手段１９を備え、消費者がいない時間帯での無駄なパターン動作をさせないことで、省エネを図ることができる。
【産業上の利用可能性】
【００４８】
以上のように、本発明にかかる自動販売機は、販売待機時に商品選択ボタン、金額表示器による表示、音発生手段による発音を連動させることにより、より一層消費者の注意を引くことができる自動販売機を提供する。
【図面の簡単な説明】
【００４９】
【図１】本発明の実施の形態１による自動販売機の外観を示した斜視図
【図２】同実施の形態の自動販売機の金額表示器の外観を示した正面図
【図３】同実施の形態の自動販売機の商品選択ボタンと金額表示器の表示パターン状態を示す図
【図４】同実施の形態の自動販売機の機能ブロック図
【図５】同実施の形態の自動販売機の動作を示すフローチャート
【図６】本発明の実施の形態２による自動販売機の機能ブロック図
【図７】同実施の形態の自動販売機の音発生手段の発音パターン動作状態を示す図
【図８】同実施の形態の自動販売機の動作を示すフローチャート
【図９】本発明の実施の形態３による自動販売機の機能ブロック図
【図１０】同実施の形態の自動販売機の動作を示すフローチャート
【図１１】本発明の実施の形態４による自動販売機の機能ブロック図
【図１２】同実施の形態の自動販売機の全連動パターンを示す図
【図１３】同実施の形態の自動販売機の動作を示すフローチャート
【図１４】本発明の実施の形態５による自動販売機の機能ブロック図
【図１５】同実施の形態の自動販売機の動作を示すフローチャート
【符号の説明】
【００５０】
１    自動販売機
２    本体部
３    メイン扉部
４    サンプル缶
５    商品選択ボタン
６    硬貨投入口
７    硬貨返却スイッチ
８    硬貨返却口
９    取り出し部
１０  取り出し口扉
１１  金額表示器
１２  ７セグメントＬＥＤ
１３  パターン記憶手段
１４  音発生手段
１５  音発生時間帯設定手段
１６  音発生時間帯記憶手段
１７  全パターン記憶手段
１８  パターン設定手段
１９  パターン動作時間帯設定手段
２０  パターン動作時間帯記憶手段
３０ａ，３０ｂ，３０ｃ，３０ｄ，３０ｅ  演算制御部
【図１】
2007188203.tif 000003
【図２】
2007188203.tif 000004
【図３】
2007188203.tif 000005
【図４】
2007188203.tif 000006
【図５】
2007188203.tif 000007
【図６】
2007188203.tif 000008
【図７】
2007188203.tif 000009
【図８】
2007188203.tif 000010
【図９】
2007188203.tif 000011
【図１０】
2007188203.tif 000012
【図１１】
2007188203.tif 000013
【図１２】
2007188203.tif 000014
【図１３】
2007188203.tif 000015
【図１４】
2007188203.tif 000016
【図１５】
2007188203.tif 000017